(57)【特許請求の範囲】
【請求項１】
建造物の上層階にスラブを構築するスラブ構築方法において、
前記スラブ構築方法が、上下方向へ延びる複数本の柱を設置しつつ、それら柱の上方に主梁を架設して前記建造物の骨組みを施工する骨組み施工工程と、骨組み施工工程と同時に、所定面積を有して第１方向へ長い金属板と前記金属板の上面に設置されて前記第１方向へ延びる鉄筋トラスとから形成された複数のデッキプレートを前記第１方向と交差する第２方向へ連結しつつ、前記第２方向へ延びる取付梁を前記金属板の下面に固定して所定面積のデッキプレート構造物を組み立てるデッキプレート構造物組立工程と、前記デッキプレート構造物を吊り上げて前記柱と前記主梁とに囲繞された前記上層階のスペースに該デッキプレート構造物を配置しつつ、所定の連結手段を介して前記主梁と前記取付梁とを連結して該デッキプレート構造物を前記スペースに設置するデッキプレート構造物設置工程とを有することを特徴とするスラブ構築方法。
【請求項２】
前記スラブ構築方法が、前記デッキプレート構造物組立工程の後、骨組み施工工程と並行しつつ、組み立てた複数の前記デッキプレート構造物を地上において前記上下方向へ積み重ねるデッキプレート構造物仮置き工程を含み、前記骨組み施工工程では、前記デッキプレート構造物設置工程によって所定の階に前記デッキプレート構造物が設置された後、その直上の階の骨組みを施工し、前記デッキプレート構造物設置工程では、デッキプレート構造物仮置き工程によって積み重ねたデッキプレート構造物を上から順に所定の階毎に設置する請求項１に記載のスラブ構築方法。
【請求項３】
前記スラブ構築方法が、前記デッキプレート構造物組立工程の後、骨組み施工工程と並行しつつ、前記金属板の上面における前記取付梁の直上に前記デッキプレート構造物の吊り上げ用フックを配置し、前記吊り上げ用フックを前記取付梁に着脱可能に取り付けるフック設置工程を含む請求項１または請求項２に記載のスラブ構築方法。
【請求項４】
前記スラブ構築方法が、前記デッキプレート構造物設置工程の後、前記第１方向へ所定寸法離間しつつ前記第２方向へ延びる複数の横筋を前記デッキプレートの鉄筋トラスに結束線を介して連結する配筋工程と、前記配筋工程の後、前記金属板の上面にセメント硬化物を打設する打設工程とを含む請求項１ないし請求項３いずれかに記載のスラブ構築方法。
【請求項５】
前記主梁と前記取付梁とを連結する連結手段が、前記上下方向へ並ぶ複数の第１連結孔が穿孔されて前記主梁の側部に固定された第１連結治具と、前記上下方向へ並ぶ複数の第２連結孔が穿孔されて前記取付梁の両端部に固定された第２連結治具とから形成され、前記デッキプレート構造物設置工程では、前記第１連結治具の第１連結孔と前記第２連結治具の第２連結孔とを一致させつつ、それら連結孔にボルトを挿通し、前記ボルトにナットを螺着して前記主梁と前記取付梁とを連結する請求項１ないし請求項４いずれかに記載のスラブ構築方法。
【請求項６】
前記スラブ構築方法では、前記金属板の上面から上方に位置して前記第１方向へ延びる上端筋と、前記金属板と前記上端筋との間に位置して前記第１方向へ延びる一対の下端筋と、前記金属板と前記上端筋との間で上下方向へ波状に曲折を繰り返しながら前記第１方向へ延びていてその上部から下部に向かって末広がりの一対のラチス筋とから前記鉄筋トラスを形成し、前記ラチス筋の上部を前記上端筋に溶接し、前記ラチス筋の中間部を前記下端筋に溶接するとともに、前記ラチス筋の下部を前記金属板の上面に溶接して前記デッキプレートを製造する請求項１ないし請求項５いずれかに記載のスラブ構築方法。
【請求項７】
前記スラブ構築方法では、前記金属板の上面から上方へ突出して前記第１方向へ延びる一対の凸条を前記上端筋の両側に位置するように該金属板に形成し、前記ラチス筋の下部を前記金属板の上面と並行するように前記第２方向へ折り曲げて脚を形成し、前記脚のうちの前記凸条と交差する部分を前記金属板の上面から上方へ離間した状態で該凸条に溶接して前記デッキプレートを製造する請求項６に記載のスラブ構築方法。
【請求項８】
前記取付梁が、Ｈ形鋼であり、前記デッキプレート構造物組立工程では、前記Ｈ形鋼のフランジを前記金属板の下面に溶接する請求項１ないし請求項７いずれかに記載のスラブ構築方法。
【請求項９】
建造物の上層階のスラブの構築に使用するデッキプレート構造物において、
前記デッキプレート構造物が、所定面積を有する金属板と前記金属板の上面に設置されて第１方向へ延びる鉄筋トラスとから形成されて前記第１方向と交差する第２方向へ連結された複数のデッキプレートと、前記第１方向へ所定寸法離間しつつ前記第２方向へ延びていて前記金属板の下面に溶接されたＨ形鋼と、前記金属板の上面における前記Ｈ形鋼の直上に位置して該Ｈ形鋼に着脱可能に取り付けられた吊り上げ用フックとから形成され、上下方向へ並ぶ複数の連結孔が穿孔された連結治具が、前記Ｈ形鋼の両端部に形成されていることを特徴とするデッキプレート構造物。
【請求項１０】
前記鉄筋トラスが、金属板の上面から上方に位置して前記第１方向へ延びる上端筋と、前記金属板と前記上端筋との間に位置して前記第１方向へ延びる一対の下端筋と、前記金属板と前記上端筋との間で上下方向へ波状に曲折を繰り返しながら前記第１方向へ延びていてその上部から下部に向かって末広がりの一対のラチス筋とから形成され、前記ラチス筋の上部が、前記上端筋に溶接され、前記ラチス筋の中間部が、前記下端筋に溶接され、前記ラチス筋の下部が、前記板材の上面に溶接されている請求項９に記載のデッキプレート構造物。
【請求項１１】
前記金属板の上面から上方へ突出して前記第１方向へ延びる一対の凸条が、前記上部筋の両側に位置するように前記金属板に形成され、前記ラチス筋の下部が、前記金属板の上面と並行するように前記第２方向へ屈曲して前記凸条と二点で交差し、前記ラチス筋の下部のうちの前記凸条と交差するそれら部分が、前記金属板の上面から上方へ離間した状態で該凸条に溶接されている請求項１０に記載のデッキプレート構造物。
【発明の詳細な説明】
【技術分野】
【０００１】
本発明は、建造物の上層階にスラブを構築するスラブ構築方法およびそのスラブの構築に使用するデッキプレート構造物に関する。
【背景技術】
【０００２】
所定面積を有する金属板と、金属板の上面に位置して縦方向へ延びる複数の鉄筋トラスと、金属板の上面に位置して縦方向と交差する横方向へ延びる複数の横筋とを備え、鉄筋トラスが、金属板の上面から上方に位置して縦方向へ延びる上端筋と、金属板と上端筋との間に位置して縦方向へ延びる一対の下端筋と、金属板と上端筋との間で上下方向へ波状に曲折を繰り返しながら縦方向へ延びる一対のラチス筋とから形成されたデッキプレートがある（特許文献１参照）。デッキプレートでは、ラチス筋がその上部から下部に向かって末広がりになり、ラチス筋の上部が上端筋に溶接され、ラチス筋の中間部が下端筋に溶接され、ラチス筋の下部が金属板の上面に溶接されている。横筋は、上端筋の上部に配置され、上端筋との交差箇所において結束線を介して上端筋に連結されている。
【先行技術文献】
【特許文献】
【０００３】
【特許文献１】特開２０１０−２７５７４０号公報
【発明の概要】
【発明が解決しようとする課題】
【０００４】
前記特許文献１に開示のデッキプレートは、それを使用して建造物の上層階にスラブを構築する場合、建造物の骨組みが完成した後、複数のデッキプレートをクレーンによって順に吊り上げ、上層階における柱と梁との間のスペースに形成された型枠内にデッキプレートを順に配置しつつ、作業者がデッキプレートの上に乗ってそれの端部や側部を１つ１つ梁に溶接し、デッキプレートを横方向へ連結してデッキプレート構造物を作る。次に、デッキプレートを形成する上端筋の上部に横筋を配置し、上端筋との交差箇所において結束線を介して上端筋と横筋とを連結した後、デッキプレートの上方から型枠内にコンクリートを打設し、コンクリートを所定期間養生した後、型枠を外してスラブが完成する。
【０００５】
なお、前記手順によってスラブを構築する場合、作業者がデッキプレートの上に乗って作業を行わなければならず、作業者の安全のために上層階のスペースの下方に安全ネットを敷設するとともに、作業者がデッキプレートを１つ１つ梁に溶接しなければならず、スラブの構築に手間と時間とを要していた。また、建造物の骨組みが完成するまでの間、デッキプレートの設置作業を行うことができず、骨組みの施工と平行して複数のデッキプレート構造物を事前に組み立てることができなかった。したがって、骨組みの施工が遅延すると、それにともなってデッキプレートの設置作業が遅延し、スラブ構築の工期を短縮することができなかった。また、デッキプレートの組立業者が他の現場に移ることができず、組立業者の仕事の回転率が低下していた。
【０００６】
本発明の目的は、手間と時間とを要せずに建造物の上層階にスラブを構築することができるスラブ構築方法およびそのスラブの構築に使用するデッキプレート構造物を提供することにある。本発明の他の目的は、骨組みの施工と平行してデッキプレート構造物を組み立てることができ、短い工期でスラブを構築することができるとともに、デッキプレート構造物の組立業者の仕事の回転率を向上させることができるスラブ構築方法およびそのスラブの構築に使用するデッキプレート構造物を提供することにある。
【課題を解決するための手段】
【０００７】
前記課題を解決するための本発明の第１の前提は、建造物の上層階にスラブを構築するスラブ構築方法である。
【０００８】
前記第１の前提における本発明のスラブ構築方法の特徴は、スラブ構築方法が、上下方向へ延びる複数本の柱を設置しつつ、それら柱の上方に主梁を架設して建造物の骨組みを施工する骨組み施工工程と、骨組み施工工程と同時に、所定面積を有して第１方向へ長い金属板と金属板の上面に設置されて第１方向へ延びる鉄筋トラスとから形成された複数のデッキプレートを第１方向と交差する第２方向へ連結しつつ、第２方向へ延びる取付梁を金属板の下面に固定して所定面積のデッキプレート構造物を組み立てるデッキプレート構造物組立工程と、デッキプレート構造物を吊り上げて柱と主梁とに囲繞された上層階のスペースにデッキプレート構造物を配置しつつ、所定の連結手段を介して主梁と取付梁とを連結してデッキプレート構造物をスペースに設置するデッキプレート構造物設置工程とを有することにある。
【０００９】
本発明にかかるスラブ構築方法の一例としては、スラブ構築方法が、デッキプレート構造物組立工程の後、骨組み施工工程と並行しつつ、組み立てた複数のデッキプレート構造物を地上において上下方向へ積み重ねるデッキプレート構造物仮置き工程を含み、骨組み施工工程では、デッキプレート構造物設置工程によって所定の階にデッキプレート構造物が設置された後、その直上の階の骨組みを施工し、デッキプレート構造物設置工程では、デッキプレート構造物仮置き工程によって積み重ねたデッキプレート構造物を上から順に所定の階毎に設置する。
【００１０】
本発明にかかるスラブ構築方法の他の一例としては、スラブ構築方法が、デッキプレート構造物組立工程の後、骨組み施工工程と並行しつつ、金属板の上面における取付梁の直上にデッキプレート構造物の吊り上げ用フックを配置し、吊り上げ用フックを取付梁に着脱可能に取り付けるフック設置工程を含む。
【００１１】
本発明にかかるスラブ構築方法の他の一例としては、スラブ構築方法が、デッキプレート構造物設置工程の後、第１方向へ所定寸法離間しつつ第２方向へ延びる複数の横筋をデッキプレートの鉄筋トラスに結束線を介して連結する配筋工程と、配筋工程の後、金属板の上面にセメント硬化物を打設する打設工程とを含む。
【００１２】
本発明にかかるスラブ構築方法の他の一例としては、主梁と取付梁とを連結する連結手段が、上下方向へ並ぶ複数の第１連結孔が穿孔されて主梁の側部に固定された第１連結治具と、上下方向へ並ぶ複数の第２連結孔が穿孔されて取付梁の両端部に固定された第２連結治具とから形成され、デッキプレート構造物設置工程では、第１連結治具の第１連結孔と第２連結治具の第２連結孔とを一致させつつ、それら連結孔にボルトを挿通し、ボルトにナットを螺着して主梁と取付梁とを連結する。
【００１３】
本発明にかかるスラブ構築方法の他の一例として、スラブ構築方法では、金属板の上面から上方に位置して第１方向へ延びる上端筋と、金属板と上端筋との間に位置して第１方向へ延びる一対の下端筋と、金属板と上端筋との間で上下方向へ波状に曲折を繰り返しながら第１方向へ延びていてその上部から下部に向かって末広がりの一対のラチス筋とから鉄筋トラスを形成し、ラチス筋の上部を上端筋に溶接し、ラチス筋の中間部を下端筋に溶接するとともに、ラチス筋の下部を金属板の上面に溶接してデッキプレートを製造する。
【００１４】
本発明にかかるスラブ構築方法の他の一例として、スラブ構築方法では、金属板の上面から上方へ突出して第１方向へ延びる一対の凸条を上端筋の両側に位置するように金属板に形成し、ラチス筋の下部を金属板の上面と並行するように第２方向へ折り曲げて脚を形成し、脚のうちの凸条と交差する部分を金属板の上面から上方へ離間した状態で凸条に溶接してデッキプレートを製造する。
【００１５】
本発明にかかるスラブ構築方法の他の一例としては、取付梁がＨ形鋼であり、デッキプレート構造物組立工程では、Ｈ形鋼のフランジを金属板の下面に溶接する。
【００１６】
前記課題を解決するための本発明の第２の前提は、建造物の上層階のスラブの構築に使用するデッキプレート構造物である。
【００１７】
前記第２の前提における本発明のデッキプレート構造物の特徴は、デッキプレート構造物が、所定面積を有する金属板と金属板の上面に設置されて第１方向へ延びる鉄筋トラスとから形成されて第１方向と交差する第２方向へ連結された複数のデッキプレートと、第１方向へ所定寸法離間しつつ第２方向へ延びていて金属板の下面に溶接されたＨ形鋼と、金属板の上面におけるＨ形鋼の直上に位置してＨ形鋼に着脱可能に取り付けられた吊り上げ用フックとから形成され、上下方向へ並ぶ複数の連結孔が穿孔された連結治具がＨ形鋼の両端部に形成されていることにある。
【００１８】
本発明にかかるデッキプレート構造物の一例としては、鉄筋トラスが、金属板の上面から上方に位置して第１方向へ延びる上端筋と、金属板と上端筋との間に位置して第１方向へ延びる一対の下端筋と、金属板と上端筋との間で上下方向へ波状に曲折を繰り返しながら第１方向へ延びていてその上部から下部に向かって末広がりの一対のラチス筋とから形成され、ラチス筋の上部が上端筋に溶接され、ラチス筋の中間部が下端筋に溶接され、ラチス筋の下部が板材の上面に溶接されている。
【００１９】
本発明にかかるデッキプレート構造物の他の一例としては、金属板の上面から上方へ突出して第１方向へ延びる一対の凸条が上部筋の両側に位置するように金属板に形成され、ラチス筋の下部が金属板の上面と並行するように第２方向へ屈曲して凸条と二点で交差し、ラチス筋の下部のうちの凸条と交差するそれら部分が金属板の上面から上方へ離間した状態で凸条に溶接されている。
【発明の効果】
【００２０】
本発明にかかるスラブ構築方法によれば、デッキプレート構造物を吊り上げて柱と主梁とに囲繞された上層階のスペースにデッキプレート構造物を配置しつつ、所定の連結手段を介して主梁と取付梁とを連結してデッキプレート構造物をスペースに設置するから、従来のスラブ構築方法のように作業者がデッキプレート１つ１つの上に乗ってデッキプレートの端部や側部を主梁に溶接する必要はなく、さらに、安全ネットを敷設する必要もなく、手間と時間とを要せずに上層階のスペースにデッキプレート構造物を設置することができ、短い工期でスラブを構築することができる。スラブ構築方法は、骨組みの施工と同時に、所定面積のデッキプレート構造物を組み立てるから、骨組みの施工の進捗状況にかかわらず、複数のデッキプレート構造物を組み立てることができ、骨組みの施工と平行して複数のデッキプレート構造物を事前に作っておくことができる。スラブ構築方法は、骨組みの施工が遅れたとしても、骨組みの施工完了の直後にデッキプレート構造物を上層階のスペースに速やかに設置することができ、短い工期でスラブを構築することができる。また、骨組みの施工の進捗状況にかかわらず、デッキプレートの組立業者が他の現場に移ることができ、組立業者の仕事の回転率を向上させることができる。
【００２１】
デッキプレート構造物を組み立てた後、骨組み施工工程と並行しつつ、組み立てた複数のデッキプレート構造物を地上において上下方向へ積み重ね、所定の階にデッキプレート構造物が設置された後、その直上の階の骨組みを施工し、積み重ねたデッキプレート構造物を上から順に所定の階毎に設置するスラブ構築方法は、建造物の上層階のうちの最も低い階から順にデッキプレート構造物を設置し、そのデッキプレート構造物をその階に設置した後にその直上の階の骨組みを施工するとともに、積み重ねたデッキプレート構造物を直上の階に上から順に設置するから、デッキプレート構造物の組立業者が骨組みの施工の進捗状況に応じてデッキプレート構造物を組み立てる必要はなく、組立業者が必要な数のデッキプレート構造物を事前に組み立て、それらデッキプレート構造物を建造物の近傍における地上に積み重ねておけばよく、組立業者が組み立て作業と積み上げ作業とを行った後、すぐに次の現場の仕事に取りかかることができ、組立業者の仕事の回転率を向上させることができる。スラブ構築方法は、積み重なるそれらデッキプレート構造物を上から順に上層階のスペースに設置すればよく、作業者がデッキプレート１つ１つの上に乗ってデッキプレートの端部や側部を主梁に溶接する必要はなく、手間と時間とを要せずに上層階のスペースにデッキプレート構造物を設置することができ、短い工期でスラブを構築することができる。
【００２２】
デッキプレート構造物を組み立てた後、骨組み施工工程と並行しつつ、金属板の上面における取付梁の直上にデッキプレート構造物の吊り上げ用フックを配置し、吊り上げ用フックを取付梁に着脱可能に取り付けるスラブ構築方法は、デッキプレート構造物を吊り上げるための吊り上げ用フックを組み立てたデッキプレート構造物の取付梁に取り付けるだけの作業によってデッキプレート構造物を吊り上げることができ、デッキプレート構造物の吊り上げに他の作業が伴うことはなく、手間と時間とを要せずに上層階のスペースにデッキプレート構造物を設置することができ、短い工期でスラブを構築することができる。
【００２３】
デッキプレート構造物を設置した後、第１方向へ所定寸法離間しつつ第２方向へ延びる複数の横筋をデッキプレートの鉄筋トラスに結束線を介して連結し、横筋を配筋した後、金属板の上面にセメント硬化物を打設するスラブ構築方法は、上層階のスペースにおけるデッキプレート構造物の設置に手間と時間とを要せず、デッキプレート構造物を短期間に設置することができ、設置したデッキプレート構造物の鉄筋トラスに横筋を配筋した後、金属板の上面にセメント硬化物を打設することでスラブを構築することができるから、短い工期でスラブを構築することができる。
【００２４】
連結手段が上下方向へ並ぶ複数の第１連結孔が穿孔されて主梁の側部に固定された第１連結治具と上下方向へ並ぶ複数の第２連結孔が穿孔されて取付梁の両端部に固定された第２連結治具とから形成され、第１連結治具の第１連結孔と第２連結治具の第２連結孔とを一致させつつ、それら連結孔にボルトを挿通し、ボルトにナットを螺着して主梁と取付梁とを連結するスラブ構築方法は、第１連結治具と第２連結治具とから形成される連結手段によって主梁と取付梁とを連結するだけで、手間と時間とを要せずに上層階のスペースにデッキプレート構造物の設置することができるから、デッキプレート構造物を短期間に設置することができ、短い工期でスラブを構築することができる。
【００２５】
金属板の上面から上方に位置する上端筋と、金属板と上端筋との間に位置する一対の下端筋と、金属板と上端筋との間で上下方向へ波状に曲折を繰り返しながらその上部から下部に向かって末広がりの一対のラチス筋とから鉄筋トラスを形成し、ラチス筋の上部を上端筋に溶接し、ラチス筋の中間部を下端筋に溶接するとともに、ラチス筋の下部を金属板の上面に溶接してデッキプレートを製造するスラブ構築方法は、デッキプレートが金属板と鉄筋トラスとから形成され、鉄筋トラスが上端筋と一対の下端筋と上下方向へ波状に曲折を繰り返す一対のラチス筋とを含み、ラチス筋が上端筋と下端筋との間を補強する補強筋としての機能を有するから、デッキプレート構造物が十分な強度を有するのみならず、それにセメント硬化物を打設した場合のそのセメント硬化物に作用する曲げ引張力や曲げ圧縮力、せん断力にセメント硬化物が耐え得るようにセメント硬化物を十分に補強することができ、強固なスラブを構築することができる。スラブ構築方法は、ラチス筋の下部が金属板に当接するから、金属板が存在しない場合と比較し、デッキプレート構造物にセメント硬化物を打設したときに、ラチス筋の下部がセメント硬化物から露出することはなく、ラチス筋がセメント硬化物から露出することによるラチス筋の腐食やラチス筋の腐食によるスラブの強度低下を防ぐことができる。
【００２６】
金属板の上面から上方へ突出して第１方向へ延びる一対の凸条を上端筋の両側に位置するように金属板に形成し、ラチス筋の下部を金属板の上面と並行するように第２方向へ折り曲げて脚を形成し、脚のうちの凸条と交差する部分を金属板の上面から上方へ離間した状態で凸条に溶接してデッキプレートを製造するスラブ構築方法は、金属板の凸条とラチス筋の脚との溶接箇所が鉄板の上面よりも上方となるから、金属板の上面のみならず、金属板の下面に溶接による跡が生じることがないスラブを構築することができる。スラブ構築方法は、凸条が金属板の可撓性を抑制するから、金属板の撓みや歪みを防ぐことができ、金属板とラチス筋との固定が解除されることはなく、デッキプレート構造物によってセメント硬化物を十分に補強することができ、強固なスラブを構築することができる。
【００２７】
取付梁がＨ形鋼であり、Ｈ形鋼のフランジを金属板の下面に溶接するスラブ構築方法は、Ｈ形鋼のフランジを金属板の下面に溶接することで、取付梁をデッキプレートに強固に設置することができ、デッキプレート構造物を上層階のスペースに設置したときにデッキプレート構造物と取付梁との固定が解除されることはなく、デッキプレート構造物によってセメント硬化物を十分に補強することができ、強固なスラブを構築することができる。
【００２８】
本発明にかかるデッキプレート構造物によれば、それが所定面積を有する金属板と金属板の上面に設置された鉄筋トラスとから形成された複数のデッキプレートと、金属板の下面に固定されたＨ形鋼とから形成されているから、デッキプレート構造物が十分な強度を有するのみならず、それにセメント硬化物を打設した場合のそのセメント硬化物に作用する曲げ引張力や曲げ圧縮力、せん断力にセメント硬化物が耐え得るようにセメント硬化物を十分に補強することができ、強固なスラブを構築することができる。
【００２９】
金属板の上面から上方に位置する上端筋と、金属板と上端筋との間に位置する一対の下端筋と、金属板と上端筋との間で上下方向へ波状に曲折を繰り返しながらその上部から下部に向かって末広がりの一対のラチス筋とから鉄筋トラスが形成され、ラチス筋の上部が上端筋に溶接され、ラチス筋の中間部が下端筋に溶接され、ラチス筋の下部が金属板の上面に溶接されたデッキプレート構造物は、デッキプレートが金属板と鉄筋トラスとから形成され、鉄筋トラスが上端筋と一対の下端筋と上下方向へ波状に曲折を繰り返す一対のラチス筋とを含み、ラチス筋が上端筋と下端筋との間を補強する補強筋としての機能を有するから、デッキプレート構造物が十分な強度を有するのみならず、それにセメント硬化物を打設した場合のそのセメント硬化物に作用する曲げ引張力や曲げ圧縮力、せん断力にセメント硬化物が耐え得るようにセメント硬化物を十分に補強することができ、強固なスラブを構築することができる。デッキプレート構造物は、ラチス筋の下部が金属板に当接するから、金属板が存在しない場合と比較し、デッキプレート構造物にセメント硬化物を打設したときに、ラチス筋の下部がセメント硬化物から露出することはなく、ラチス筋がセメント硬化物から露出することによるラチス筋の腐食やラチス筋の腐食によるスラブの強度低下を防ぐことができる。
【００３０】
金属板の上面から上方へ突出して第１方向へ延びる一対の凸条が上部筋の両側に位置するように金属板に形成され、ラチス筋の下部が金属板の上面と並行するように第２方向へ屈曲して凸条と二点で交差し、ラチス筋の下部のうちの凸条と交差するそれら部分が鉄板の上面から上方へ離間した状態で凸条に溶接されているデッキプレート構造物は、金属板の凸条とラチス筋の脚との溶接箇所が鉄板の上面よりも上方となるから、金属板の上面のみならず、金属板の下面に溶接による跡が生じることがないスラブを構築することができる。スラブ構築方法は、凸条が金属板の可撓性を抑制するから、金属板の撓みや歪みを防ぐことができ、金属板とラチス筋との固定が解除されることはなく、デッキプレート構造物によってセメント硬化物を十分に補強することができ、強固なスラブを構築することができる。
【図面の簡単な説明】
【００３１】
【図１】一例として示すデッキプレートの斜視図。
【図２】図１の２−２線端面図。
【図３】デッキプレートの部分拡大側面図。
【図４】一例として示すデッキプレート構造物の斜視図。
【図５】吊り下げ用フックを示すデッキプレート構造物の拡大斜視図。
【図６】Ｈ形鋼に形成された連結治具の拡大斜視図。
【図７】骨組み施工工程の一例を示す図。
【図８】骨組み施工工程およびデッキプレート構造物仮置き工程の一例を示す図。
【図９】主梁に作られた連結治具の斜視図。
【図１０】デッキプレート構造物設置工程の一例を示す図。
【図１１】主梁と取付梁との連結を説明する図。
【図１２】連結後の主梁と取付梁とを示す図。
【図１３】２階のスペースにデッキプレート構造物を設置した後の状態を示す図。
【図１４】２階のスペースにデッキプレート構造物を設置した後の状態を金属板の下面の側から示す図。
【図１５】２階のスペースに設置したデッキプレート構造物に対する配筋工程を説明する図。
【図１６】２階のスペースに設置したデッキプレート構造物に対する打設工程を説明する図。
【図１７】骨組み施工工程の他の一例を示す図。
【図１８】デッキプレート構造物設置工程の他の一例を示す図。
【図１９】３階のスペースにデッキプレート構造物を設置した後の状態を示す図。
【図２０】３階のスペースに設置したデッキプレート構造物に対する配筋工程を説明する図。
【図２１】３階のスペースに設置したデッキプレート構造物に対する打設工程を説明する図。
【発明を実施するための形態】
【００３２】
一例として示すデッキプレート１１の斜視図である図１等の添付の図面を参照し、本発明に係るスラブ構築方法およびデッキプレート構造物１０の詳細を説明すると、以下のとおりである。なお、図２は、図１の２−２線端面図であり、図３は、デッキプレート１１の部分拡大側面図である。図４は、一例として示すデッキプレート構造物１０の斜視図であり、図５は、吊り下げ用フック１３を示すデッキプレート構造物１０の拡大斜視図である。図６は、Ｈ形鋼１２に形成された連結治具３０の拡大斜視図である。
【００３３】
図１〜４では、縦方向（第１方向）を矢印Ｘ（図２を除く）、横方向（第２方向）を矢印Ｙで示し（図３を除く）、上下方向を矢印Ｚで示す。図１，４では、デッキプレート１１やデッキプレート構造物１０の縦方向の図示を一部省略している。スラブ構築方法では、建造物１４の上層階にスラブ１５を構築する。デッキプレート構造物１０は、横方向へ連結された複数のデッキプレート１１と、複数のＨ形鋼１２（取付梁）および複数の吊り上げ用フック１３とから形成されている。
【００３４】
デッキプレート１１は、図１に示すように、所定面積を有する縦方向へ長い金属板１６（鉄板）と、金属板１６の上面に位置して縦方向へ延びる２つの鉄筋トラス１７とから作られている。それら鉄筋トラス１７は、金属板１６の上面１８において横方向へ略等間隔で並んでいる。各鉄筋トラス１７は、金属板１６を横方向へ二分した各領域のうち、一方の領域の略中央と他方の領域の略中央とに設置されている。それら鉄筋トラス１７は、１本の上端筋１９（鉄棒）と２本（一対）の下端筋２０（鉄棒）と２本（一対）のラチス筋２１（鉄棒）とから形成されている。上端筋１９や下端筋２０、ラチス筋２１は、鉄を延伸して作られた断面円形の鉄棒である。なお、鉄筋トラス１７の数に時に限定はなく、金属板１６の面積やトラス１７の大きさにより、金属板１６に３つ以上のトラス１７が設置されていてもよい。
【００３５】
金属板１６は、縦方向へ延びる両側部および横方向へ延びる両端部を有し、略フラットな上面１８および下面２２を有する。金属板１６は、その上下面１８，２２にメッキ処理が施されている。なお、金属板１６の面積に特に限定はなく、構築するスラブ１５の大きさによってその面積を自由に設定することができる。金属板１６の一方の側部には、図１，２に示すように、金属板１６の上面１８から上方へ折れ曲がる第１フック２３が形成され、金属板１６の他方の側部には、金属板１６の下面２２から下方へ折れ曲がる第２フック２４が形成されている。第１フック２３と第２フック２４とを係合させることで、複数個のデッキプレート１１を横方向へ連結することができる。
【００３６】
金属板１６には、その上面１８から上方へ突出する複数の凸条２５が形成されている。凸条２５は、上端筋１９を挟むように上端筋１９の横方向両側に位置し、金属板１６の上面１８において縦方向へ延びている。各鉄筋トラス１７毎では、横方向に並ぶそれぞれ２条の凸条２５が形成されている。凸条２５は、金属板１６の一部分を横方向内方へ折り曲げて、金属板１６の一部分をその上面１８から上方へ向かって山折りし、山折りした部分において金属板１６の下面２２どうしを隙間なく圧接することで作られている。
【００３７】
それら凸条２５は、上下方向へ所定の高さ寸法Ｌを有し、図３に示すように、その側面形状が帯状を呈するとともに、上方から見た形状が略線状を呈する。凸条２５の上下方向の高さ寸法Ｌに特に限定はないが、高さ寸法Ｌの好ましい範囲は５〜５０ｍｍである。凸条２５には、その上端から金属板１６の上面１８に向かって凹む凹部２６が形成されている。凹部２６は、金属板１６の上面１８に達することなく、金属板１６の上面１８から上方へ所定寸法離間している。ゆえに、金属板１６の上面１８と凹部２６との間には凸条２５の一部分が延びている。
【００３８】
上端筋１９は、金属板１６の上面１８から上方へ所定寸法離間して縦方向へ直状に延びている。上端筋１９は、金属板１６の両端部間に配置されている。下端筋２０は、金属板１６の上面１８から上方へ所定寸法離間して縦方向へ直状に延びている。それら下端筋２０は、上端筋１９の下方かつ上端筋１９の横方向両側に位置し、金属板１６の上面１８と上端筋１９との間であって金属板１６の両端部の間に配置されている。
【００３９】
ラチス筋２１は、金属板１６と上端筋１９との間に位置して上下方向へ波状に曲折（起伏）を繰り返しながら縦方向へ延びている。それらラチス筋２１は、上端筋１９を挟んで横方向へ対称型に配置されている。ラチス筋２１は、上部および下部と、上下部の間に延びる中間部とを有する。ラチス筋２１は、図２に示すように、その上部から下部に向かって横方向へ末広がりを呈するように金属板１６に対して所定角度で傾斜している。
【００４０】
ラチス筋２１の上部は、上方へ向かって弧を画き、上端筋１９の横方向両側に当接した状態で、上端筋１９にスポット溶接されている。ラチス筋２１の下部は、金属板１６の上面１８と並行するように、横方向外方へ折り曲げられて脚２７を形成している。脚２７は、横方向外方へ向かって弧を画き、その一部が凸条２５から横方向外方へ突出するとともに、凸条２５と二点で交差している。ラチス筋の脚２７のうちの凸条２５と交差する部分は、凸条２５に形成された凹部２５に嵌入しつつ、金属板１６の上面１８から上方へ所定寸法離間した状態で凹部２５にスポット溶接されている。それらラチス筋２１の中間部は、それら下端筋２０の内側に位置し、中間部のうちの下端筋２０と交差する部分が下端筋２０にスポット溶接されている。
【００４１】
なお、ラチス筋２１の下部を折り曲げることなく、ラチス筋２１の下部に脚２７を作らなくてもよい。この場合は、ラチス筋２１の下部が凸条２５にスポット溶接される。また、金属板１６に凸条２５を形成しなくてもよい。この場合は、ラチス筋２１の脚２７が金属板１６の上面にスポット溶接される。または、ラチス筋２１の下部が金属板１６の上面にスポット溶接される。
【００４２】
Ｈ形鋼１２（取付梁）は、金属板１６の下面２２に固定されて横方向へ延びている。Ｈ形鋼１２は、一方のフランジ２８が金属板１６の下面２２に溶接されている。Ｈ形鋼１２の横方向両端部には、図５に示すように、上下方向へ並ぶ複数の連結孔２９（第２連結孔）が穿孔された連結治具３０（第２連結治具）が作られている。吊り上げ用フック１３は、図４に示すように、金属板１６の上面１８におけるＨ形鋼１２の直上に位置し、Ｈ形鋼１２のフランジ２８に着脱可能に取り付けられている。吊り上げ用フック１３は、金属板１６を貫通するとともに、Ｈ形鋼１２のフランジ２８を貫通するアンカー３１と、アンカー３１につながって金属板１６の上面１８に位置するフック本体３２とから形成されている。アンカー３１とフック本体３２とは、定常状態においてＨ形鋼１２や金属板１６から抜け落ちることはない。
【００４３】
デッキプレート構造物１０では、鉄筋トラス１７の上端筋１９や下端筋２０、ラチス筋２１の太さについて特に限定はなく、構築するスラブ１５の大きさやスラブ１５に必要な強度に合わせてそれら上端筋１９や下端筋２０、ラチス筋２１の太さを自由に設定することができる。上端筋１９や下端筋２０、ラチス筋２１は鉄から作られているが、鉄以外の金属から作ることもできる。また、上端筋１９や下端筋２０、ラチス筋２１に鉄を用いる場合は、上端筋１９や下端筋２０、ラチス筋２１にメッキ等の防食処理が施されていてもよい。単位長さ（ｍ）当たりのラチス筋２１の曲折を繰り返す回数や金属板１６に対するラチス筋２１の傾斜角度について特に限定はなく、曲折回数や傾斜角度を自由に設定することができる。取付梁としてＨ形鋼１２を利用しているが、取付梁として他の形状の鋼材（Ｉ形鋼やＴ形鋼、山形鋼等）を使用することもできる。
【００４４】
図７は、骨組み施工工程の一例を示す図であり、図８は、骨組み施工工程およびデッキプレート構造物仮置き工程の一例を示す図である。図９は、主梁３４に作られた連結治具３９の斜視図である。スラブ構築方法では、骨組み施工工程、デッキプレート構造物組立工程、フック設置工程、デッキプレート構造物仮置き工程、デッキプレート構造物設置工程、配筋工程、打設工程を実施する。なお、デッキプレート構造物組立工程やフック設置工程、デッキプレート構造物仮置き工程は、骨組み施工工程と同時（並行）に実施される。
【００４５】
骨組み施工工程では、図７，８に示すように、建造物１４の建造予定場所に上下方向へ延びる複数本の柱３３を設置するとともに、それら柱３３の上方に主梁３４を架設して建造物１４の骨組み３５を施工する。主梁３４には、Ｈ形鋼が使用されている。主梁３４のうちの互いに対向するＨ形鋼のフランジ３６とウェブ３７とには、図９に示すように、上下方向へ並ぶ複数の連結孔３８（第１連結孔）が穿孔された連結治具３９（第１連結治具）が溶接によって固定されている。主梁３４には、Ｈ形鋼の他に、他の形状の鋼材（Ｉ形鋼やＴ形鋼、山形鋼等）を使用することもでき、鉄筋コンクリートや鉄筋鉄骨コンクリートを使用することができる。
【００４６】
デッキプレート構造物組立工程におけるデッキプレート構造物１０の組立手順の一例を説明すると、以下のとおりである。所定面積の金属板１６と、直状に延びる１本の上端筋１９と、直状に延びる２本の下端筋２０と、波状に起伏を繰り返す２本のラチス筋２１とを用意する。金属板１６の一方の側部をその上面１８に向かって折り曲げて第１フック２３を作り、金属板１６の他方の側部をその下面２２に向かって折り曲げて第２フック２４を作る。
【００４７】
ラチス筋２１の下部を横方向外方へ折り曲げて脚２７を形成する。次に、上端筋１９とそれらラチス筋２１の上部とをスポット溶接し、それら下端筋２０とそれらラチス筋２１の中間部とをスポット溶接して鉄筋トラス１７を作る。鉄筋トラス１７では、ラチス筋２１がその上部から下部に向かって横方向へ末広がりに傾斜している。
【００４８】
次に、金属板１６の上面１８から上方へ突出して縦方向へ延びる一対の凸条２５を金属板１６に形成する。鉄筋トラス１７の上端筋１９が凸条２５と平行するとともに、ラチス筋２１の脚２７が凸条２５の上に位置するように、鉄筋トラス１７を金属板１６の上面１８に乗せる。ラチス筋２１の脚２７を凸条２５の上に乗せると、脚２７が凸条２５に２箇所で交差するとともに、凸条２５が上端筋１９の両側に位置する。ラチス筋２１の脚２７のうちの凸条２５と交差する２箇所の部分を金属板１６の上面１８から上方へ離間した状態で凸条２５にスポット溶接してデッキプレート１１を作る。
【００４９】
ラチス筋２１の下部を折り曲げることなく、ラチス筋２１の下部に脚２７を作らない場合は、ラチス筋２１の下部を凸条２５にスポット溶接する。また、金属板１６に凸条２５を形成しない場合は、ラチス筋２１の脚２７を金属板１６の上面にスポット溶接する。または、ラチス筋２１の下部を金属板１６の上面にスポット溶接する。
【００５０】
スポット溶接では、図示はしていないが、上端筋１９や下端筋２０、ラチス筋２１を電極で挟み、電極に高電圧を印加してそれら上端筋１９や下端筋２０、ラチス筋２１を加熱溶融した後、それら上端筋１９や下端筋２０、ラチス筋２１を自然冷却し、上端筋１９や下端筋２０、ラチス筋２１どうしを溶接箇所において互いに溶着させる。また、ラチス筋２１の脚２７のうちの凸条２５に交差する部分と凸条２５とを溶接するには、部分を凸条２５の上に乗せた後、凸条２５が延びる金属板１６の下面２２に電極を配置するとともに、部分の上方に電極を配置する。次に、それら電極で金属板１６と脚２７の部分とを挟み、電極に高電圧を印加して金属板１６に形成された凸条２５と部分とを加熱溶融した後、金属板１６と部分とを自然冷却し、部分と凸条２５とを溶接箇所において互いに溶着させる。ここで、凸条２５を電極で加熱すると、凸条２５がその上端から金属板１６の上面１８に向かって溶け、凸条２５に凹部２６が形成されるとともに、凹部２６と脚２７の部分とが互いに溶着する。
【００５１】
前記手順によって複数個のデッキプレート１１を作った後、一方のデッキプレート１１の第１フック２３と他方のデッキプレート１１の第２フック２４とを係合させ、複数個のデッキプレート１１を横方向へ連結する。複数個のデッキプレート１１を連結した後、金属板１６や鉄筋トラス１７の延びる方向と交差する横方向へ延びる２本のＨ形鋼１２（取付梁）を金属板１６の下面２２に配置する。Ｈ形鋼１２は、縦方向へ平行して並び、一方のフランジ２８が金属板１６の下面２２に当接する。Ｈ形鋼１２を金属板１６の下面２２に配置した後、金属板１６とＨ形鋼１２のフランジ２８とを溶接し、金属板１６とＨ形鋼１２とを溶着してデッキプレート構造物１０を作る。なお、図８では金属板１６の下面２２に２本のＨ形鋼１２が固定されているが、Ｈ形鋼１２の数を図示に本数に限定するものではなく、デッキプレート構造物１０の面積によって３本以上のＨ形鋼１２が金属板１６の下面２２に溶着されていてもよい。
【００５２】
デッキプレート構造物１０を作った後、フック設置工程を実施する。フック設置工程における吊り上げ用フック１３の設置手順の一例を説明すると、以下のとおりである。金属板１６の上面１８におけるＨ形鋼１２の直上に４個の吊り上げ用フック１３を配置する。吊り上げ用フック１３は、デッキプレート構造物１０の重量や重心を考慮してそれらの取付位置が決定され、それらの縦方向および横方向の離間距離が略同一となるように、Ｈ形鋼１２のフランジ２８の直上に配置される。吊り上げ用フック１３を配置した後、フック１３のアンカー３１を挿通する貫通孔を作る箇所にマーキングをし、マーキングをした箇所にドリルで貫通孔を穿孔する。貫通孔は、金属板１６とＨ形鋼１２のフランジ２８とを貫通する。貫通孔を穿孔した後、吊り上げ用フック１３のアンカー３１を貫通孔に挿通し、アンカー３１をＨ形鋼１２のフランジ２８に取り付け、フック本体３２が金属板１６の上面１８に位置するように、アンカー３１にフック本体３２を連結する。なお、吊り上げ用フック１３では、アンカー３１とフック本体３２とを分離することで、アンカー３１をＨ形鋼１２や金属板１６の貫通孔から抜き取ることができ、フック１３をデッキプレート構造物１０から取り外すことができる。
【００５３】
デッキプレート構造物組立工程およびフック設置工程を実施した後、デッキプレート構造物仮置き工程を実施する。デッキプレート構造物仮置き工程におけるデッキプレート構造物１０の仮置き手順の一例を説明すると、以下のとおりである。それら吊り上げ用フック１３のフック本体３２にワイヤーロープ４０を掛け、クレーン車の玉掛具４１にワイヤーロープ４０を掛けた後、クレーン車のクレーンによってデッキプレート構造物１０を吊し上げ（図１０参照）、構造物１０を建造物１４の建造予定地近傍における地上の仮置き場所に降ろす。さらに、次のデッキプレート構造物１０をクレーンによって吊し上げ、その構造物１０を先に仮起きした構造物１０の上に積み重ねる（図８参照）。上下に積む重なるデッキプレート構造物１０では、下方に位置する構造物１０の上端筋１９の上に上方に位置する構造物１０のＨ形鋼１２のフランジが当接する。なお、デッキプレート構造物仮置き工程では、建造する建造物１４の上層階の数だけデッキプレート構造物１０を作り、それら構造物１０を仮置き場所に積み重ねる。
【００５４】
図１０は、デッキプレート構造物設置工程の一例を示す図であり、図１１は、主梁３４（Ｈ形鋼）と取付梁１２（Ｈ形鋼）との連結を説明する図である。図１２は、連結後の主梁３４と取付梁１２とを示す図であり、図１３は、２階のスペース４２にデッキプレート構造物１０を設置した後の状態を示す図である。図１４は、２階のスペース４２にデッキプレート構造物１０を設置した後の状態を金属板１６の下面２２の側から示す図である。
【００５５】
骨組み施工工程やデッキプレート構造物組立工程、フック設置工程、デッキプレート構造物仮置き工程が完了した後、デッキプレート構造物設置工程を実施する。デッキプレート構造物設置工程におけるデッキプレート構造物１０の設置手順の一例を説明すると、以下のとおりである。骨組み施工工程によって上層階のうちの最も低い階（２階）の骨組み３５を施工した後、図１０，１３に示すように、デッキプレート構造物仮置き工程によって仮置き場所に積み重ねたデッキプレート構造物１０のうちの最も上に位置する構造物１０を柱３３と主梁３４とに囲繞された上層階（２階）のスペース４２に配置する。具体的には、デッキプレート構造物１０に取り付けられた吊り上げ用フック１３のフック本体３２にワイヤーロープ４０を掛け、クレーン車の玉掛具４１にワイヤーロープ４０を掛けた後、クレーン車のクレーンによってデッキプレート構造物１０を吊し上げ、構造物１０をスペース４２に移動させ、構造物１０を２階のスペース４２に配置する。
【００５６】
デッキプレート構造物設置工程では、図１１に矢印で示すように、デッキプレート構造物１０をスペース４２の上方から次第に下降させ、主梁３４に固定された連結治具３９（第１連結治具）と取付梁１２に形成された連結治具３０（第２連結治具）とを当接させ、連結治具３９に穿孔された連結孔３８（第１連結孔）と連結治具３０に穿孔された連結孔２９（第２連結孔）とを一致させる。連結孔２９，３８どうしを一致させた後、図１２に示すように、それら連結孔２９，３８にボルト４３を挿通し、ボルト４３にナット（図示せず）を螺着してそれら連結治具２９，３８どうしを強固に連結する。
【００５７】
連結治具２９，３８どうしを連結させる場合、図示はしていないが、作業者が地上からリフトに乗り、作業者がリフトによってデッキプレート構造物１０の下面（金属板１６の下面２２）に向かって持ち上げられた後、作業者がそれら連結孔２９，３８にボルト４３を挿通し、ボルト４３にナットを螺着する。このようにデッキプレート構造物設置工程では、作業者がデッキプレート構造物１０の下方において連結作業を行い、作業者がデッキプレート構造物１０の上に乗って連結作業をすることはない。
【００５８】
連結治具２９，３８どうしを連結させると、図１３，１４に示すように、デッキプレート構造物１０が２階のスペース４２に設置される。デッキプレート構造物１０を２階のスペース４２に設置した後、吊り上げ用フック１３のアンカー３１とフック本体３２とを分離し、アンカー３１をＨ形鋼１２や金属板１６の貫通孔から引き抜き、フック１３を構造物１０から取り外す。アンカー３１を貫通孔から引き抜いた後、貫通孔が所定の孔埋め手段によって塞がれる。
【００５９】
図１５は、２階のスペース４２に設置したデッキプレート構造物１０に対する配筋工程を説明する図であり、図１６は、２階のスペース４２に設置したデッキプレート構造物１０に対する打設工程を説明する図である。デッキプレート構造物設置工程が完了した後、配筋工程および打設工程を実施する。配筋工程および打設工程を説明すると、以下のとおりである。配筋工程では、上端筋１９の上部であって上端筋１９とラチス筋２１の上部との交差箇所またはその近傍に横筋４４を配置し、上端筋１９の上部とのすべての交差箇所において上端筋１９に横筋４４を連結する。上端筋１９と横筋４４との連結には、結束線（図示せず）が使用されている。各横筋４４は横方向の長さ寸法が同一であり、縦方向に隣接する横筋４４どうしの離間寸法が等しく、それら横筋４４が互いに平行して縦方向へ等間隔で並んでいる。
【００６０】
配筋工程では、上端筋１９の上部の他に、上端筋１９の下部であって上端筋１９とラチス筋２１の上部との交差箇所またはその近傍に横筋４４を配置し、上端筋１９の下部との交差箇所において結束線を使用して上端筋１９に横筋４４を連結してもよい。また、上端筋１９の上部または下部であって縦方向に隣接するラチス筋２１の上部の間に配置され、上端筋１９の上部または下部との交差箇所において結束線を使用して上端筋１９に横筋４４を連結してもよい。横筋４４の数に時に限定はなく、構築するスラブ１５の大きさや必要な強度に応じて横筋４４の数や太さを決定することができる。横筋４４に鉄を用いる場合は、それら横筋４４にメッキ等の防錆処理が施されていてもよい。
【００６１】
配筋工程によって横筋４４を配筋した後、打設工程を実施する。打設工程では、図１５に示すように、デッキプレート構造物１０の上方から金属板１６の上面１８にコンクリート４５（セメント硬化物）を打設する。打設したコンクリート４５を所定期間養生すると、２階のスペース４２においてスラブ１５が完成する。
【００６２】
図１７は、骨組み施工工程の他の一例を示す図であり、図１８は、デッキプレート構造物設置工程の他の一例を示す図である。図１９は、３階のスペース４２にデッキプレート構造物１０を設置した後の状態を示す図であり、図２０は、３階のスペース４２に設置したデッキプレート構造物１０に対する配筋工程を説明する図である。図２１は、３階のスペース４２に設置したデッキプレート構造物１０に対する打設工程を説明する図である。
【００６３】
建造物１４の上層階のうちの最も低い階（２階）のスペース４２にスラブ１５を構築した後、その直上の階（３階）のスペース４２にスラブ１５を構築する。この場合、すでにフック１３を取り付けた複数個のデッキプレート構造物１０が仮置き場所に積み重ねられていることから、骨組み施工工程、デッキプレート構造物設置工程、配筋工程、打設工程のみを実施し、デッキプレート構造物組立工程やフック設置工程、デッキプレート構造物仮置き工程は実施しない。
【００６４】
骨組み施工工程では、図１７に示すように、すでに構築された２階のスラブ１５の直上に柱３３を設置（継ぎ足し）するとともに、それら柱３３に３階の主梁３４（Ｈ形鋼）を架設して３階の骨組み３５を施工する。３階の主梁３４のうちの互いに対向するＨ形鋼のフランジ３６とウェブ３７とには、上下方向へ並ぶ複数の連結孔３８（第１連結孔）が穿孔された連結治具３９（第１連結治具）が溶接によって固定されている（図９参照）。
【００６５】
骨組み施工工程が完了した後、デッキプレート構造物設置工程を実施する。骨組み施工工程によって上層階のうちの３階の骨組み３５を施工した後、図１８に示すように、デッキプレート構造物仮置き工程によって仮置き場所に積み重ねたデッキプレート構造物１０のうちの上から２番目に位置する構造物１０を柱３３と主梁３４とに囲繞された３階のスペース４２に配置する。なお、１番上に位置するデッキプレート構造物１０は２階のスペース４２にすでに設置されており、仮置き場所には存在しない。デッキプレート構造物１０に取り付けられた吊り上げ用フック１３のフック本体３２にワイヤーロープ４０を掛け、クレーン車の玉掛具４１にワイヤーロープ４０を掛けた後、クレーン車のクレーンによってデッキプレート構造物１０を吊し上げ、構造物１０を３階のスペース４２に移動させ、構造物１０を３階のスペース４２に配置する。
【００６６】
デッキプレート構造物設置工程では、デッキプレート構造物１０をスペース４２の上方から次第に下降させ（図１１参照）、主梁３４に固定された連結治具３９（第１連結治具）と取付梁１２に形成された連結治具３０（第２連結治具）とを当接させ、連結治具３９に穿孔された連結孔３８（第１連結孔）と連結治具３０に穿孔された連結孔２９（第２連結孔）とを一致させる。
【００６７】
連結孔２９，３８どうしを一致させた後、それら連結孔２９，３８にボルト４３を挿通し、ボルト４３にナットを螺着してそれら連結治具２９，３８どうしを強固に連結する（図１２参照）。連結治具２９，３８どうしを連結させる場合、既述のように、作業者が地上からリフトに乗り、作業者がリフトによってデッキプレート構造物１０の下面（金属板１６の下面２２）に向かって持ち上げられた後、作業者がそれら連結孔２９，３８にボルト４３を挿通し、ボルト４３にナットを螺着する。
【００６８】
連結治具２９，３８どうしを連結させると、図１９に示すように、デッキプレート構造物１０が３階のスペース４２に設置される。デッキプレート構造物１０を３階のスペース４２に設置した後、吊り上げ用フック１３のアンカー３１とフック本体３２とを分離し、アンカー３１をＨ形鋼１２や金属板１６の貫通孔から引き抜き、フック１３を構造物１０から取り外す。アンカー３１を貫通孔から引き抜いた後、貫通孔が所定の孔埋め手段によって塞がれる。
【００６９】
デッキプレート構造物設置工程が完了した後、再び配筋工程および打設工程を実施する。配筋工程では、図２０に示すように、上端筋１９の上部であって上端筋１９とラチス筋２１の上部との交差箇所またはその近傍に横筋４４を配置し、上端筋１９の上部とのすべての交差箇所において結束線（図示せず）を使用して上端筋１９に横筋４４を連結する。配筋工程によって横筋４４を配筋した後、打設工程を実施する。打設工程では、図２１に示すように、デッキプレート構造物１０の上方から金属板１６の上面１８にコンクリート４５（セメント硬化物）を打設する。打設したコンクリート４５を所定期間養生すると、３階のスペース４２においてスラブ１５が完成する。３階のスラブ１５が完成した後、２階や３階のスラブ１５の構築と同一の手順によってその直上の階（４階）のスペース４２にスラブ１５を構築する。
【００７０】
スラブ構築方法は、デッキプレート構造物１０を地上の仮置き場所から吊り上げて柱３３と主梁３４とに囲繞された上層階のスペース４２に構造物１０を配置しつつ、主梁３４の連結治具３９（第１連結治具）と取付梁１２の連結治具３０（第２連結治具）とを連結してデッキプレート構造物１０をスペース４２に設置するから、従来のスラブ構築方法のように作業者がデッキプレート１つ１つの上に乗ってデッキプレートの端部や側部を主梁に溶接する必要はなく、さらに、安全ネットを敷設する必要もなく、手間と時間とを要せずに上層階のスペース４２にデッキプレート構造物１０を設置することができる。
【００７１】
スラブ構築方法は、骨組み３５の施工と同時に、デッキプレート構造物組立工程やフック設置工程、デッキプレート構造物仮置き工程を実施することができるから、骨組み３５の施工の進捗状況にかかわらず、複数のデッキプレート構造物１０を組み立てることができ、骨組み３５の施工と平行して複数の構造物１０を事前に作っておくことができる。
【００７２】
スラブ構築方法は、骨組み３５の施工が遅れたとしても、骨組み３５の施工完了の直後にデッキプレート構造物１０を上層階のスペース４２に速やかに設置することができ、短い工期でスラブ１５を構築することができる。スラブ構築方法は、建造物１４の上層階のうちの最も低い階（２階）のスペース４２から順にデッキプレート構造物１０を設置し、その構造物１０をその階に設置した後にその直上の階（３階）の骨組み３５を施工するとともに、積み重ねた構造物１０を直上の階に上から順に設置するから、構造物１０の組立業者が骨組み３５の施工の進捗状況に応じて構造物１０を組み立てる必要はなく、組立業者が必要な数の構造物１０を事前に組み立て、それら構造物１０を建造物１４の近傍における地上に積み重ねておけばよく、組立業者が組み立て作業や吊り上げ用フック取付作業、積み上げ作業を行った後、すぐに次の現場の仕事に取りかかることができ、組立業者の仕事の回転率を向上させることができる。
【００７３】
スラブ構築方法およびこの方法に使用するデッキプレート構造物１０は、デッキプレート１１が金属板１６と鉄筋トラス１７とから形成され、鉄筋トラス１７が上端筋１９と一対の下端筋２０と上下方向へ波状に曲折を繰り返す一対のラチス筋２１とを含み、ラチス筋２１が上端筋１９と下端筋２０との間を補強する補強筋としての機能を有するから、デッキプレート構造物１０が十分な強度を有するのみならず、構造物１０にコンクリート４５を打設した場合のそのコンクリート４５に作用する曲げ引張力や曲げ圧縮力、せん断力にコンクリート４５が耐え得るようにコンクリート４５を十分に補強することができ、強固なスラブ１５を構築することができる。
【００７４】
スラブ構築方法およびこの方法に使用するデッキプレート構造物１０は、ラチス筋２１の脚２７が金属板１６の凸条２５に溶接され、金属板１６が存在しない場合と比較し、構造物１０にコンクリート４５を打設した場合に、ラチス筋２１の下部がコンクリート４５から露出することはなく、ラチス筋２１がコンクリート４５から露出することによるラチス筋２１の腐食やラチス筋２１の腐食によるスラブ１５の強度低下を防ぐことができる。
【００７５】
スラブ構築方法およびこの方法に使用するデッキプレート構造物１０は、金属板１６の凸条２５とラチス筋２１の脚２７との溶接箇所が金属板１６の上面１８よりも上方となるから、金属板１６の上面１８のみならず、金属板１６の下面２２に溶接による跡が生じることがないスラブ１５を構築することができる。スラブ構築方法およびこの方法に使用するデッキプレート構造物１０は、凸条２５が金属板１６の可撓性を抑制するから、金属板１６の撓みや歪みを防ぐことができ、金属板１６とラチス筋２１との固定が解除されることはなく、構造物１０によってコンクリート４５を十分に補強することができ、強固なスラブ１５を構築することができる。
【符号の説明】
【００７６】
１０    デッキプレート構造物
１１    デッキプレート
１２    Ｈ形鋼（取付梁）
１３    吊り下げ用フック
１４    建造物
１５    スラブ
１６    金属板
１７    鉄筋トラス
１８    上面
１９    上端筋
２０    下端筋
２１    ラチス筋
２２    下面
２５    凸条
２６    凹部
２７    脚
２９    連結孔（第２連結孔）
３０    連結治具（第２連結治具）
３３    柱
３４    主梁
３５    骨組み
３８    連結孔（第１連結孔）
３９    連結治具（第１連結治具）
４２    スペース
４４    横筋
４５    コンクリート（セメント硬化物）
【図１】
0005723235.tif 000002
【図２】
0005723235.tif 000003
【図３】
0005723235.tif 000004
【図４】
0005723235.tif 000005
【図５】
0005723235.tif 000006
【図６】
0005723235.tif 000007
【図７】
0005723235.tif 000008
【図８】
0005723235.tif 000009
【図９】
0005723235.tif 000010
【図１０】
0005723235.tif 000011
【図１１】
0005723235.tif 000012
【図１２】
0005723235.tif 000013
【図１３】
0005723235.tif 000014
【図１４】
0005723235.tif 000015
【図１５】
0005723235.tif 000016
【図１６】
0005723235.tif 000017
【図１７】
0005723235.tif 000018
【図１８】
0005723235.tif 000019
【図１９】
0005723235.tif 000020
【図２０】
0005723235.tif 000021
【図２１】
0005723235.tif 000022